(57)【要約】【課題】器具内配線を短くするとともに部品点数を少なくしてコストダウンを図ることができ、着脱が容易な蛍光ランプおよび照明器具を提供する。【解決手段】長手方向中央部に設けた口金部２０で支持するとともに電気的に接続するので、器具内配線を短くしてコストダウンを図ることができるとともに、蛍光ランプ１０を容易に着脱することができる。さらに、点灯回路２１が口金部２０に収容されているので、配線が不要であり、この蛍光ランプ１０を用いることにより照明器具３０の小型化を図ることができる。【選択図】図１
2008235214.tif 000002
【特許請求の範囲】
【請求項１】
直管状に形成された複数の発光管部材が互いに平行に配列されているとともに、
前記各発光管部材の端部同士を連結することにより連続し、かつ、屈曲する放電路が形成された発光管と、
前記発光管の両端部を覆う口金部とを備え、
前記口金部が、前記発光管の長手方向中央部に配置されているとともに、点灯回路が収容されていることを特徴とする蛍光ランプ。
【請求項２】
前記口金部に電源接続部が設けられているとともに、前記電源接続部が点灯回路を有していることを特徴とする請求項１に記載の蛍光ランプ。
【請求項３】
前記口金部に被保持部が設けられていることを特徴とする請求項１または請求項２に記載の蛍光ランプ。
【請求項４】
前記電源接続部がライティングプラグであることを特徴とする請求項１または請求項２に記載の蛍光ランプ。
【請求項５】
前記電源接続部が引っ掛けシーリングであることを特徴とする請求項１または請求項２に記載の蛍光ランプ。
【請求項６】
請求項１〜請求項５のうちのいずれかに記載の蛍光ランプを用いた照明装置。
【発明の詳細な説明】
【技術分野】
【０００１】
本発明は、蛍光ランプおよび照明器具に関するものである。
【背景技術】
【０００２】
図５（Ａ）に示すように、従来の蛍光ランプ１００は、発光部である４本のガラス管部１０１と、樹脂製の口金部１０２を備えている。各ガラス管部１０１は、口金部１０２から上方（図５（Ａ）において下方）に立ち上がり、その後、２本ずつ横方向へ平行に正反対の方向に伸びて、直線状に配置されている。２本ずつのガラス管部１０１は、先端部付近に連通部１０３が設けられており、互いに接続されている。図５（Ｂ）に示すように、口金部１０２から上方へ４本のピン１０４が突出して設けられている（例えば特許文献１参照）。
【特許文献１】実開平３−１６６５７号公報（第１図、第３図）
【発明の開示】
【発明が解決しようとする課題】
【０００３】
ところで、従来の直管型の蛍光ランプでは、両端に口金部が設けられているため、少なくとも蛍光ランプと同じ長さの器具内配線が必要であり、配線が長くなるため面倒であるとともに、コストアップを招くという問題があった。また、蛍光ランプを口金部で取り付けるため、蛍光ランプが長くなると、着脱が難しくなるという問題があった。また、円環型の蛍光ランプの場合には、口金部以外に蛍光ランプを支持する部品が必要となり、部品点数が増加してコストアップを招くとともに、外観上も好ましくないという問題があった。
【０００４】
本発明は、従来の問題を解決するためになされたもので、器具内配線を短くするとともに部品点数を少なくしてコストダウンを図ることができ、着脱が容易な蛍光ランプおよび照明器具を提供することを目的とする。
【課題を解決するための手段】
【０００５】
本発明の蛍光ランプは、直管状に形成された複数の発光管部材が互いに平行に配列されているとともに、前記各発光管部材の端部同士を連結することにより連続し、かつ、屈曲する放電路が形成された発光管と、前記発光管の両端部を覆う口金部とを備え、前記口金部が、前記発光管の長手方向中央部に配置されているとともに、点灯回路が収容されている構成を有している。
【０００６】
この構成により、直管状の複数の発光管部材を平行に配列し端部同士を連結して形成された屈曲した放電路の長さの発光管を、長手方向中央部に設けた口金部で支持するとともに電気的に接続するので、器具内配線を短くしてコストダウンを図ることができる。また、口金部が長手方向中央部にあるので、蛍光ランプを容易に着脱することができる。さらに、点灯回路が口金部に収容されているので、配線が不要であり、この蛍光ランプを用いることにより照明器具の小型化を図ることができる。
【０００７】
また、本発明の蛍光ランプは、前記口金部に電源接続部が設けられているとともに、前記電源接続部が点灯回路を有する構成を有している。
【０００８】
この構成により、器具内の配線が不要になり、照明器具の組み立てが容易になるので、コストの低減を図ることができる。
【０００９】
また、本発明の蛍光ランプは、前記口金部に被保持部が設けられている構成を有している。
【００１０】
この構成により、口金部に被保持部が設けられているので、電気的接続を行うとともに、機械的に保持することができ、蛍光ランプの交換作業性が向上する。
【００１１】
また、本発明の蛍光ランプは、前記電源接続部がライティングプラグである構成を有している。
【００１２】
この構成により、電源接続部がライティングプラグであるので、ライティングプラグに直接接続可能であり、器具の設計および設置が容易になる。
【００１３】
また、本発明の蛍光ランプは、前記電源接続部が引っ掛けシーリングである構成を有している。
【００１４】
この構成により、電源接続部が引っ掛けシーリングであるので、器具の設計および設置が容易になる。
【００１５】
また、本発明の照明器具は、  前述した蛍光ランプのうちのいずれかを用いた構成を有している。
【００１６】
この構成により、器具内配線を短くしてコストダウンを図ることができるとともに、口金部が長手方向中央部にあるので、蛍光ランプを容易に着脱することができる。さらに、点灯回路が口金部に収容されているので、配線が不要であり、照明器具の小型化を図ることができる。
【発明の効果】
【００１７】
本発明は、長手方向中央部に設けた口金部で支持するとともに電気的に接続するので、器具内配線を短くしてコストダウンを図ることができるとともに、蛍光ランプを容易に着脱することができる。さらに、点灯回路が口金部に収容されているので、配線が不要であり、この蛍光ランプを用いることにより照明器具の小型化を図ることができるという効果を有する蛍光ランプおよび照明器具を提供することができるものである。
【発明を実施するための最良の形態】
【００１８】
以下、本発明の実施の形態の蛍光ランプおよび照明器具について、図面を用いて説明する。
図１（Ａ）は蛍光ランプの斜視図、図１（Ｂ）は図１（Ａ）の蛍光ランプを用いた照明器具の断面図、図２は図１（Ａ）中II−II位置の断面図、図３（Ａ）はライティングプラグを有する蛍光ランプの斜視図、図３（Ｂ）はライティングダクトに取り付けた状態を示す斜視図、図４（Ａ）は引っ掛けシーリングを有する蛍光ランプの斜視図、図４（Ｂ）は引っ掛けシーリング本体に取り付けた状態を示す斜視図である。
【００１９】
図１（Ａ）に示すように、蛍光ランプ１０は、直管状に形成された複数の発光管部材１１が互いに平行に配列されているとともに、各発光管部材１１の端部同士をブリッジ部１３で連結することにより連続し、かつ、屈曲する放電路１４が形成された発光管１２と、発光管１２の両端部を覆う口金部２０とを備えている。図２に示すように、図２において下側の発光管部材１１ａは、口金部２０において端部同士が接続されており、各発光管部材１１ａの長さは蛍光ランプ１０の全長の約半分である。一方、図２において上側の発光管部材１１ｂは、口金部２０を貫通しており、発光管部材１１ｂの長さは、ほぼ蛍光ランプ１０の全長と等しくなっている。
【００２０】
図１（Ａ）に示すように、口金部２０は、発光管１２の長手方向中央部に配置されており、この口金部２０の内部には、電源接続部である電源端子２５および点灯回路２１が収容されている（図２参照）。図２に示すように、発光管部材１１ａの端部には、おのおのフィラメント２２が設けられており、フィラメント２２の両端が、導入線２２ａを介して点灯回路２１に接続されている。図１（Ａ）に示すように、口金部２０の上面には、電源線挿入穴２４が設けられており、例えば天井１６の内部に配線されている電源線１５が挿入され（図１（Ｂ）参照）て、図２に示すように、電源端子２５に接続されている。電源端子２５は、点灯回路２１に接続されている。
【００２１】
図１（Ｂ）に示すように、口金部２０は、発光管１２を発光管部材１１の配列方向に直交する方向（上下方向）から挟持する二部材から構成されている。すなわち、口金部２０は、発光管１２の上面に当接する第１の部材２０ａと、発光管１２の下面に当接する第２の部材２０ｂに分割されており、発光管１２を挟んで固定する。なお、第１部材２０ａと第２部材２０ｂは、発光管１２を挟んで接着剤やねじ止めで固定するようにする。
これにより、容易に口金部２０を取り付けることができる。なお、口金部２０の第１部材２０ａと第２部材２０ｂの接合部分の外側面には、蛍光ランプ１０を保持するための被保持部としての保持用溝２３が、蛍光ランプ１０の長手方向に沿って凹設されている。
【００２２】
図１（Ｂ）に示すように、この蛍光ランプ１０を用いた照明器具３０では、蛍光ランプ１０全体を覆う大きさの反射板３１が、口金部２０の上面に取り付けられており、中央部には電源線１５を口金部２０に挿入するための穴（図示省略）が設けられている。反射板３１の中央部には、口金部２０を保持するために、左右一対のランプ保持バネ３２が下方に突出して設けられている。ランプ保持バネ３２の下端部付近には、口金部２０に設けられている保持用溝２３を係止する係止突部３３が内側に向けて設けられている。なお、ランプ保持バネ３２は、対向する係止突部３３、３３が接近する方向に付勢されている。
従って、ランプ保持バネ３２の係止突部３３を口金部２０の保持用溝に嵌合することにより、蛍光ランプ１０を反射板３１の下面に容易に保持することができる。
【００２３】
このような本発明の実施の形態の蛍光ランプ１０および照明器具３０によれば、蛍光ランプ１０を長手方向中央部に設けた口金部２０で支持するとともに電気的に接続するので、器具内配線を短くしてコストダウンを図ることができる。また、口金部２０が長手方向中央部にあるので、蛍光ランプ１０を容易に着脱することができる。さらに、点灯回路２１が口金部に収容されているので、配線が不要であり、この蛍光ランプ１０を用いることにより照明器具３０の小型化を図ることができる。
【００２４】
また、口金部２０に電源接続部である電源端子２５が設けられているとともに、点灯回路２１を有しているので、器具内の配線が不要になり、照明器具３０の組み立てが容易になるので、コストの低減を図ることができる。
【００２５】
また、口金部２０に被保持部である保持用溝２３が設けられているので、電気的接続を行うとともに、機械的に保持することができ、蛍光ランプ１０の交換作業性が向上する。
【００２６】
次に、蛍光ランプの別の形態に付いて説明する。
図３（Ａ）に示すように、この蛍光ランプ１０Ｂでは、口金部２０の上側である第１の部材２０ａの上面に電源接続部であるライティングプラグ４０が設けられている。ライティングプラグ４０は、図３（Ｂ）に示すようなライティングダクト４１に沿って移動可能となっている。ライティングプラグ４０には、移動方向と直交する方向に２本の金属製の板状の端子４０ａ、４０ａが突出して設けられており、端子４０ａの下方には所定の間隔でベース部４０ｂが設けられている。なお、口金部２０の内部には、点灯回路２１が設けられている。
【００２７】
一方、ライティングダクト４１は、下面の一部が開口した矩形柱状の部材であり、例えば天井面や壁面に沿って取り付けられる。ライティングダクト４１の内部には左右一対の端子受け部４１ａが長手方向に沿って設けられており、この端子受け部４１ａは電源に接続されて電力が供給されている。
従って、口金部２０の上面に取り付けられているライティングプラグ４０の端子４０ａを、ライティングダクト４１の端子受け部４１に挿入することにより、ベース部４０ｂとの協働によって、蛍光ランプ１０Ｂをライティングダクト４１に移動可能に取り付けるとともに、電源に接続することができる。
【００２８】
また、図４（Ａ）に示すように、この蛍光ランプ１０Ｃでは、口金部２０の上側である第１の部材２０ａの上面に電源接続部である引っ掛けシーリング５０が取り付けられている。引っ掛けシーリング５０は、一対の引っ掛けシーリングプラグ５１、５１を有しており、プラグ５１の先端は、Ｌ字状に折り曲げられて引っ掛け部５１ａが形成されている。引っ掛けシーリングプラグ５１の下端部は、口金部２０の内部において点灯回路２１に接続されている。
【００２９】
従って、図４（Ｂ）に示すように、引っ掛けシーリングプラグ５１を、例えば天井面に取り付けられている引っ掛けシーリング本体５２の引っ掛け穴５２ａに挿入して回転させることにより、引っ掛け部５１ａを引っ掛けて、蛍光ランプ１０Ｃを引っ掛けシーリング本体５２に取り付けるとともに、電気的に接続することができる。このため、蛍光ランプ１０Ｃを容易に引っ掛けシーリング本体４３に取り付けることができる。
【００３０】
なお、本発明の蛍光ランプおよび照明器具は、前述した実施形態に限定されるものでなく、適宜な変形，改良等が可能である。
【産業上の利用可能性】
【００３１】
以上のように、本発明にかかる蛍光ランプおよび照明器具は、長手方向中央部に設けた口金部で支持するとともに電気的に接続するので、器具内配線を短くしてコストダウンを図ることができるとともに、蛍光ランプを容易に着脱することができる。さらに、点灯回路が口金部に収容されているので、配線が不要であり、この蛍光ランプを用いることにより照明器具の小型化を図ることができるという効果を有し、蛍光ランプおよび照明器具等として有用である。
【図面の簡単な説明】
【００３２】
【図１】（Ａ）は蛍光ランプの斜視図、（Ｂ）は図１（Ａ）の蛍光ランプを用いた照明器具の断面図
【図２】図１（Ａ）中II−II位置の断面図
【図３】（Ａ）はライティングプラグを有する蛍光ランプの斜視図、（Ｂ）はライティングダクトに取り付けた状態を示す斜視図
【図４】（Ａ）は引っ掛けシーリングを有する蛍光ランプの斜視図、（Ｂ）は引っ掛けシーリング本体に取り付けた状態を示す斜視図
【図５】（Ａ）は従来の蛍光ランプの斜視図、（Ｂ）は図１３（Ａ）中Ｂ方向から見た斜視図
【符号の説明】
【００３３】
１０  蛍光ランプ
１１  発光管部材
１２  発光管
１４  放電路
２０  口金部
２１  点灯回路
２３  保持用溝（被保持部）
２５  電源端子（電源接続部）
３０  照明装置
４０  ライティングプラグ（電源接続部）
５０  引っ掛けシーリング（電源接続部）
【図１】
2008235214.tif 000003
【図２】
2008235214.tif 000004
【図３】
2008235214.tif 000005
【図４】
2008235214.tif 000006
【図５】
2008235214.tif 000007